(57)【特許請求の範囲】
【請求項１】
左右一対の支柱にアームの基端部を枢着し、そのアームの先端部を扉体に枢着し、前記扉体を地面付近に垂直状に支持する閉鎖位置から前記アームを半径として前記支柱の上方に水平状に支持する開放位置まで回動するようにした跳ね上げ式門扉であって、扉体の縦框の背面に当接され、かつ、止めネジを貫通され、その止めネジを前記縦框の背面に形成してある縦溝に上下方向に摺動自在に嵌合されたネジ受け部材にねじ込むことにより前記縦框に固定される固定部と、前記アームの先端部を軸支する軸支部とを有するブラケットを用いる跳ね上げ式門扉において、
前記ブラケットに、前記固定部と前記軸支部とを前記軸支部を前記固定部から扉体の幅の中央方向に離間させる持出し部により一体的に結合してなるものを用いたことを特徴とする跳ね上げ式門扉。
【請求項２】
左右一対の支柱においてアームの基端部を枢着する軸は、前記支柱の対向面に突設されていることを特徴とする請求項１に記載された跳ね上げ式門扉。
【発明の詳細な説明】
【０００１】
【発明の属する技術分野】
本発明は、左右一対の支柱にアームの基端部を枢着し、そのアームの先端部を扉体に枢着し、前記扉体を地面付近に垂直状に支持する閉鎖位置から前記アームを半径として前記支柱の上方に水平状に支持する開放位置まで回動するようにした跳ね上げ式門扉に関するものであり、とくに、アームの先端部を扉体に取り付ける構造に関する。
【０００２】
【従来の技術】
図６〜図１０に基づいて、従来の跳ね上げ式門扉について説明する。図６は、跳ね上げ式門扉の従来例を示す中央縦断面図、図７は平面図、図８は扉体とアームの枢着部の構造を示す要部断面図、図９は同じく側面図、図１０は図７に対応する正面図である。
この跳ね上げ式門扉は、左右一対の支柱１に第１アーム２ａ及び第２アーム２ｂの基端部を枢着し、各アームの先端部を扉体３に枢着し、扉体３を地面付近に垂直状に支持されている閉鎖位置（実線で示された位置）から第１アーム２ａを半径として支柱１の上方に水平状に支持されている開放位置（鎖線で示された位置）まで回動するように構成してある。
そして、扉体３の開閉に関しては、手動式と電動式があり、手動式は、扉体に持上げ力を加えて閉鎖位置から開放位置まで上方に回動し、また、開放位置に存する扉体の先端から垂下する引き下げ部材（図示省略）を介して扉体に引き下げ力を加えて、閉鎖位置まで下方に回動させる。また、電動式は、支柱に取付けられたモータ等の動力源により回動されるレバー（図示省略）を第１アーム２ａに連結し、スイッチを操作して動力源を正転又は逆転させることにより、扉体を閉鎖位置から開放位置まで上方に回動し、開放位置から閉鎖位置まで下方に回動する。
なお、扉体の自重による回転モーメントを軽減して、扉体の開閉に要する駆動力を小さくするため、第１アーム２ａに上向きの付勢力を加えるコイルバネ等  （不図示）が支柱１内に設けてある。
【０００３】
【発明が解決しようとする課題】
一般的には、上記アーム２ａ，２ｂの基端部は、図６及び図７に示すように、左右の支柱１の対向面に突出された支軸４に枢着されている。そして、アーム２ａ，２ｂの先端部は、図８及び図９に例示するように、扉体３の左右両側端部に設けてある縦框３０に、ブラケット５を介して枢着されている。
この場合、ブラケット５は、平面形状がコ字形の金物で形成され、コ字形の底部に相当する部分が固定部５１とされ、コ字形の側部に相当する部分の上部及び下部が軸支部５２とされていて、固定部５１と軸支部５２は、扉体３又は縦框３０の幅方向に関しては、ほぼ同一位置に設けられている。そして、アーム２ａ，２ｂの先端部を縦框３０に枢着するには、固定部５１を縦框３０の背面に当接し、そのブラケットの軸支部５２の間から止めネジ６を固定部５１に貫通し、縦框３０の背面に形成してある縦溝３１に上下方向に摺動自在に嵌合してあるネジ受け部材７にネジ込むことにより、ブラケット５を縦框３０に固定し、その後に、軸支部５２にアーム２ａ，２ｂの先端部に取付けてある軸受部２１を嵌合し、軸支部５２と軸受部２１に支軸８を貫通して、ヒンジが構成してある。
なお、２２は、左右の第１アーム２ａ間を結合する連結バーである。
【０００４】
縦框３０の縦溝３１は、従来、扉体の幅方向の外側に設けられていた。従ってアーム２ａ，２ｂの基端部が支柱１の対向面側に枢着されていることと、アーム２ａ，２ｂの先端部が縦框３０の扉体の幅方向の外側において枢着されていることのために、図７及び図１０に示されるように、塀９を支柱１に接近させて設置しても、扉体３の閉鎖状態において、扉体の両側端部と塀９の間から支柱１が敷地外側に露見されることとなり、第一に門扉の外観体裁が芳しくない。第二に、塀９と扉体３の両側端部との間の隙間１０から余所の犬、猫などが侵入して、敷地内で悪さをする恐れがあった。
【０００５】
本発明は、上記の点に鑑みて成されたものであり、その課題は、跳ね上げ式門扉の主たる構成要素、すなわち、支柱、アーム及び扉体の構成を変えること無く、塀と扉体の両側端部との間に隙間が生じないようにすることができ、従って、支柱が露見されず、門扉の外観体裁が向上し、犬、猫などの侵入が防止されるようにすることにある。
【０００６】
【課題を解決する手段】
上記課題を解決するため、本発明による跳ね上げ式門扉は、左右一対の支柱にアームの基端部を枢着し、そのアームの先端部を扉体に枢着し、前記扉体を地面付近に垂直状に支持する閉鎖位置から前記アームを半径として前記支柱の上方に水平状に支持する開放位置まで回動するようにした跳ね上げ式門扉であって、扉体の縦框の背面に当接され、かつ、止めネジを貫通され、その止めネジを前記縦框の背面に形成してある縦溝に上下方向に摺動自在に嵌合されたネジ受け部材にねじ込むことにより前記縦框に固定される固定部と、前記アームの先端部を軸支する軸支部とを有するブラケットを用いる跳ね上げ式門扉において、前記ブラケットに、前記固定部と前記軸支部とを前記軸支部を前記固定部から扉体の幅の中央方向に離間させる持出し部により一体的に結合してなるものを用いたことを特徴としている。
【０００７】
本発明は、左右一対の支柱においてアームの基端部を枢着する軸が、前記支柱の対向面に突設されている場合に、その効果が最も良く発揮される。
【０００８】
【発明の実施の形態】
次に、本発明の実施の形態を図示の実施例について説明する。
図１は、本発明による跳ね上げ式門扉の設置状態における正面図、図２は同じく平面図、図３は扉体とアームの枢着部の構造を示す図８に対応する要部断面図、図４は同じく側面図、図５は本発明の主たる構成要素であるブラケットの構造を示す図であり、（ａ）は平面図、（ｂ）は正面図、（ｃ）は側面図である。
図６〜図１０の構成部材と同一又は相当する部材には、同じ符号を用い、同一の構造については、説明を省略する。
【０００９】
図２〜図４における支柱１、アーム２ａ，２ｂ、扉体３の縦框３０は、図６〜図９に示されたものと同一である。
本発明は、上記課題を解決するため、図３〜図５に示されているブラケット５Ｎを用いる点に特徴がある。このブラケット５Ｎは、鋼板などの金物で形成され、図５に示すように、固定部５１と軸支部５２と持出し部５３とを一体に有している。固定部５１は、上下両端部に止めネジ６を貫通するための穴５ａを有している。この穴は位置調整を可能にするため、横長孔とされている。軸支部５２は、左右に平行に起立する軸受部５ｂを有し、その上下端部に軸８を貫通する穴５ｃが形成されている。そして、持出し部５３は、固定部５１と軸支部５２の間に形成されて、軸支部５２を固定部５１から扉体の幅方向中央側に離間させている。持出し部５３は、必要な強度を備えるために、その上下両端部においてリブ５ｄが設けられ、その高さ方向中間部は肉取りのために切欠５４されている。
【００１０】
上記構成を有するブラケット５Ｎは、図３に示すように、その背面を縦框３０の背面に当接され、固定部５１の穴５ａから貫通した止めネジ６を縦框３０の溝３１に上下方向に摺動自在に嵌合されたネジ受け部材７にねじ込むことにより、所定の高さに固定される。そして、軸支部５２には、その軸受部５ｂの間に第１アーム２ａの先端部の軸受部２１を嵌合し、ブラケットの軸支部の外側から軸８を穴５ｃ及び第１アーム２ａ及び第２アーム２ｂの軸受部２１にそれぞれ貫通し、軸８に割ピン等１１を刺し通して固定することにより、各アームの先端を扉体３に枢着してある。
【００１１】
この状態で、各アーム２ａ，２ｂは、ブラケット５Ｎにより扉体の外側端部から扉体の幅方向中央寄りに離間されているので、扉体３に枢着されたアーム２ａ，２ｂの基端部を支柱の対向面に突設されている支軸４に結合した状態では、図２に示されているように、扉体の縦框３０の外側端部を、支柱１の外側面とほぼ同一面に位置させることができ、従って、塀９と閉鎖位置に存する縦框との間の隙間を最小にして、図１に示すように、支柱１を敷地外側に露見させないことができる。
【００１２】
従って、門扉が閉鎖状態にある時は、支柱１が敷地外側から見えないので、門扉の外観体裁が図７に比し、格段に向上している。また、隙間が生じないので、余所の犬、猫が門扉の隙間を通って、敷地内に侵入することも防止される。
【００１３】
図３に示されている縦框３０は、従来用いられて来たものであり、縦溝３１は縦框の外側端部に寄った位置に形成されている。従って、従来と同じブラケットを用いれば、アーム２ａ，２ｂを縦框の外側端部付近に枢着することもできる。これは、アームの基端部を支柱の上端部内に回動自在に枢着する場合に有効であり、その縦框と塀との間に隙間を生じさせないことが可能である。
また、本発明によるブラケットを用いることにより、縦框を変えること無く、すなわち、同一の縦框を用いてアーム２ａ，２ｂを縦框の内側端部付近に枢着して、その縦框で支柱を敷地外側に対して隠蔽することができる。
【００１４】
【発明の効果】
上述のように、本発明によれば、既存の縦框、アームを用い、改良したブラケットを用いるだけで、扉体の両側端部と塀との間から支柱が敷地外側に露見されることが防止されるため、閉鎖中の門扉の外観体裁が向上され、また、犬猫などの侵入が防止される。
【図面の簡単な説明】
【図１】本発明による跳ね上げ式門扉の設置状態における正面図。
【図２】同じく平面図。
【図３】扉体とアームの枢着部の構造を示す図Ａ３に対応する要部断面図。
【図４】同じく側面図。
【図５】本発明の主たる構成要素であるブラケットの構造を示す図であり、（ａ）は平面図、（ｂ）は正面図、（ｃ）は側面図。
【図６】跳ね上げ式門扉の従来例を示す側面図。
【図７】同じく平面図。
【図８】扉体とアームの枢着部の構造を示す要部断面図。
【図９】同じく側面図。
【図１０】図７に対応する正面図。
【符号の説明】
１            支柱
２ａ，２ｂ    アーム
３            扉体
３０          縦框
３１          縦溝
４            支軸
５Ｎ          ブラケット
５１        固定部
５２        軸支部
５ｂ        軸受部
５３        持出し部
６            止めネジ
７            ネジ受け部材
８            ピン
２１          軸受部
【図１】
0003559232.tif 000002
【図２】
0003559232.tif 000003
【図３】
0003559232.tif 000004
【図４】
0003559232.tif 000005
【図５】
0003559232.tif 000006
【図６】
0003559232.tif 000007
【図７】
0003559232.tif 000008
【図８】
0003559232.tif 000009
【図９】
0003559232.tif 000010
【図１０】
0003559232.tif 000011